(57)【要約】【課題】加工条件等の各種設定項目の入力欄にデータを設定する操作者の利便性を向上できるようにした操作パネルを提供する。【解決手段】カテゴリー毎に設定項目が１画面内に表示され、全設定項目をリスト化したアイテムリスト２４０の中から操作者が選択した設定項目を任意の画面領域に追加配置して表示させる。例えば、アイテムリスト２４０の中から「シャワーノズル」の設定項目を選択して、カット情報を設定する第２の領域２２１に「シャワーノズル」の設定項目をドラッグしてドロップさせて設定項目を追加する。【選択図】図１０
2016002614.tif 000002
【特許請求の範囲】
【請求項１】
被加工物に加工を施す加工手段を備える加工装置において、加工条件、その他の情報を入力設定するための操作パネルであって、
被加工物に対して加工開始から加工終了までに要する設定項目を、カテゴリー別に大別し、
１つの該カテゴリー毎に該設定項目が１画面内に表示され、１画面づつ順番に画面が変化して表示され、
操作者の選択した設定項目を、操作者所望の任意の画面に追加配置して表示させること、を特徴とする操作パネル。
【発明の詳細な説明】
【技術分野】
【０００１】
本発明は、切削装置等の加工装置を操作する操作パネルに関するものである。
【背景技術】
【０００２】
ＩＣ，ＬＳＩ等のデバイスが複数形成されたウエーハは、裏面が研削されて所定の厚さに形成され、ダイシング装置等の加工装置によって個々のデバイスに分割されて携帯電話機、パソコン等の電子機器に利用される。加工装置においては、製品毎にマシン設定や加工条件を変更し加工される。この際、実際に製品を加工するまでに、様々なマシン設定、調整作業を経ることとなる。操作パネルには製品毎に加工条件等のパラメータを入力するための入力欄が各操作等でカテゴリー毎にまとまって表示されており（カテゴリー別入力画面）、操作者はそのカテゴリー別入力画面が表示されている画面を表示させることで、各種パラメータ設定項目の入力変更を行う。
【先行技術文献】
【特許文献】
【０００３】
【特許文献１】特開平８−１０７０９５号公報
【発明の概要】
【発明が解決しようとする課題】
【０００４】
しかしながら、各種設定作業や調整作業は、マシン自体の機能が多岐に渡っているため、例えば、切削水量を表示する設定項目については、切削装置のデバイスデータ設定の操作パネルにおいて表示されるカテゴリー別入力画面には表示されていない。このため、別画面のカテゴリー別入力画面まで移動して入力しなければならず、操作者の利便性が悪かった。
【０００５】
そこで、本発明が解決しようとする課題は、加工条件等の各種設定項目の入力欄にデータを設定する操作者の利便性を向上できるようにした操作パネルを提供することにある。
【課題を解決するための手段】
【０００６】
上述した課題を解決するために、本発明に係る操作パネルは、被加工物に加工を施す加工手段を備える加工装置において、加工条件、その他の情報を入力設定するための操作パネルであって、被加工物に対して加工開始から加工終了までに要する設定項目を、カテゴリー別に大別し、１つの該カテゴリー毎に該設定項目が１画面内に表示され、１画面づつ順番に画面が変化して表示され、操作者の選択した設定項目を、操作者所望の任意の画面に追加配置して表示させることを特徴とする。
【発明の効果】
【０００７】
本発明の操作パネルは、操作者が所望する任意の画面に操作者の選択した設定項目を追加配置して表示させるので、操作者が使用し易いように画面を構成することができ、操作者の利便性を向上させることができる。
【図面の簡単な説明】
【０００８】
【図１】図１は、加工装置の構成例を示す斜視図である。
【図２】図２は、操作パネルの制御系の構成例を示すブロック図である。
【図３】図３は、タッチパネルに表示される画面の構成例を示す図である。
【図４】図４は、画面カテゴリーデータのテーブルの構成例を示す図である。
【図５】図５は、区画カテゴリーデータのテーブルの構成例を示す図である。
【図６】図６は、設定項目データのテーブルの構成例を示す図である。
【図７】図７は、デバイスデータの構成例を示す図である。
【図８】図８は、デバイスデータの表示例を示す図である。
【図９】図９は、アイテムリストの表示例を示す図である。
【図１０】図１０は、アイテムリストにおける設定項目の選択例を示す図である。
【図１１】図１１は、設定項目の追加例を示す図である。
【図１２】図１２は、操作パネルの動作例を示すフローチャートである。
【発明を実施するための形態】
【０００９】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換又は変更を行うことができる。
【００１０】
〔実施形態〕
実施形態に係る加工装置を図１，２に基づいて説明する。図１は、加工装置の構成例を示す斜視図である。図２は、操作パネルの制御系の構成例を示すブロック図である。図１に示す加工装置１は、被加工物であるウエーハに加工を施す加工手段１０と、加工条件やその他の情報を入力設定するための操作パネル２０と、複数のウエーハを収容したカセット（図示せず）を載置するエレベータ部３０と、加工装置１を制御する制御手段４０とを備える。加工装置１は切削装置であり、カセットから取り出したウエーハを切削ブレード１１により切削加工する。このとき、操作者は、操作パネル２０から製品毎にウエーハの加工条件などを設定する。操作パネル２０は、装置本体２の側面に配設され、１２インチ程度のサイズである。
【００１１】
図２に示す操作パネル２０は、ＣＰＵ（Central  Processing  Unit）２０ａと、記憶部２０ｂと、ＲＡＭ（Random  Access  Memory）２０ｃと、タッチパネル２０ｄとを有する。ＣＰＵ２０ａは、記憶部２０ｂ及びＲＡＭ２０ｃに接続され、記憶部２０ｂに保存されているプログラムやデータを読み出してＲＡＭ２０ｃに展開する。記憶部２０ｂには、本発明を実施するためのプログラムなどが保存されている。ＣＰＵ２０ａはタッチパネル２０ｄに接続され、ＲＡＭ２０ｃに展開されたデータをタッチパネル２０ｄに出力する。また、ＣＰＵ２０ａは、タッチパネル２０ｄから操作データを入力して記憶部２０ｂに保存する。タッチパネル２０ｄには、静電容量方式などが採用される。ＣＰＵ２０ａは、制御手段４０に接続され、タッチパネル２０ｄから入力した操作データを制御手段４０に出力する。制御手段４０は、操作パネル２０のＣＰＵ２０ａから入力した操作データに基づいて加工装置１の切削加工を制御する。
【００１２】
次に、タッチパネル２０ｄに表示される画面の構成例について説明する。図３は、タッチパネルに表示される画面の構成例を示す図である。図３に示すタッチパネル２０ｄに表示される表示画面２１は、所定のフォーマットで表示されるテンプレートとして用意され、カテゴリー別入力画面領域２２と、選択／中止の選択画面領域２３と、画面呼び出し画像領域２４とが含まれる。
【００１３】
カテゴリー別入力画面領域２２には、ウエーハの加工条件等を設定するための設定項目が画面カテゴリー毎にまとまって表示される。ここで、設定項目とは、一つ一つの操作や条件を設定するための最小項目のことをいう（図３に示す設定項目欄２２４参照）。ウエーハに対して加工開始から加工終了までに要する設定項目を画面カテゴリー別に大別しておく。例えば、画面カテゴリーがデバイスデータであれば、デバイス情報、カット情報、オートセットアップ情報及びオートダウン情報を設定するための設定項目を一つの画面カテゴリーに分類する。分類した画面カテゴリーの設定項目は、画面カテゴリー毎にカテゴリー別入力画面領域２２に表示される。例えば、１つの画面カテゴリー毎に設定項目がカテゴリー別入力画面領域２２の１画面内に表示され、１画面づつ順番に画面が変化して表示される。カテゴリー別入力画面領域２２は、一つの領域としてもよいし、複数の領域に区画してもよい。カテゴリー別入力画面領域２２を一つの領域とする場合は、画面カテゴリーに分類された全ての設定項目を一つの領域に一覧表示する。一方、カテゴリー別入力画面領域２２を複数の領域とする場合は、設定項目の各々を各領域に分けて表示する。
【００１４】
例えば、カテゴリー別入力画面領域２２は、４つの領域に区画され、それぞれの区画に各情報を表示する。例えば、第１の領域２２０には、デバイスの番号やＩＤ、ワーク形状などの設定項目欄２２４が表示される。第２の領域２２１には、スピンドル回転数やカットモード、カット方法などの設定項目欄２２４が表示される。第３の領域２２２には、切削加工における本数等の実行間隔などの設定項目欄２２４が表示される。第４の領域２２３には、スペック長などの設定項目欄２２４が表示される。各設定項目欄２２４は、パラメータを入力するための入力欄２２５を有する。
【００１５】
選択／中止の選択画面領域２３には、選択ボタン２３０と、中止ボタン２３１とが表示される。選択ボタン２３０は、カテゴリー別入力画面領域２２に表示されるカテゴリーデータの入力を決定するためのボタンである。中止ボタン２３１は、カテゴリーデータの入力を中止してＴＯＰ画面に移行するためのボタンである。
【００１６】
画面呼び出し画像領域２４には、例えば、デバイスデータ選択ボタン２４ａと、ブレードセットアップ選択ボタン２４ｂと、アイテムリストボタン２４ｃとが含まれる。デバイスデータ選択ボタン２４ａは、カテゴリー別入力画面領域２２に表示される画面カテゴリーをデバイスデータの画面カテゴリーに切り替えるためのボタンである。例えばデバイスデータ選択ボタン２４ａがタップされると、図３に示すようにカテゴリー別入力画面領域２２にデバイスデータの設定項目の一覧が表示される。ブレードセットアップ選択ボタン２４ｂは、カテゴリー別入力画面領域２２に表示される画面カテゴリーをブレードセットアップの画面カテゴリーに切り替えるためのボタンである。このような画面カテゴリーの表示を切り替えるボタンが画面呼び出し画像領域２４に複数配置される。
【００１７】
アイテムリストボタン２４ｃは、設定項目を追加するためのボタンである。例えば、アイテムリストボタン２４ｃがタップされると、後述するように、設定項目の一覧が表示画面２１に表示される。表示された一覧の中から操作者が設定項目を選択し、選択された設定項目を、操作者が所望する任意の画面に追加して配置する。例えば、上述したようにカテゴリー別入力画面領域２２を一つの領域とする場合、操作者により選択された設定項目を当該領域まで移動させると、選択された設定項目が、カテゴリー別入力画面領域２２に表示されている画面カテゴリーに追加される。一方、カテゴリー別入力画面領域２２を区画された複数の領域とする場合、操作者により選択された設定項目を所望の領域（例えば第２の領域２２１）まで移動させると、選択された設定項目が、カテゴリー別入力画面領域２２に表示されている画面カテゴリーに対して、当該設定項目が配置される領域情報と共に追加される。これにより、操作者が意図するカテゴリー別入力画面領域２２を構成することができるようになる。
【００１８】
次に、図４〜図６に基づいて、タッチパネル２０ｄの表示画面２１を構成する各種データのテーブルについて説明する。図４は、画面カテゴリーデータのテーブルの構成例を示す図である。図５は、区画カテゴリーデータのテーブルの構成例を示す図である。図６は、設定項目データのテーブルの構成例を示す図である。
【００１９】
図４に示す画面カテゴリーデータのテーブル２５は、項目「画面カテゴリーＩＤ」と項目「画面カテゴリー名」から構成され、画面カテゴリーＩＤと画面カテゴリー名が対応づけられて設定されている。例えば、画面カテゴリーＩＤ「Ａ００１」には、画面カテゴリー名「デバイスデータ」が対応づけられて設定されている。このテーブル２５は、表示画面２１に画面カテゴリー名を表示する際に参照される。
【００２０】
図５に示す区画カテゴリーデータのテーブル２６は、項目「区画カテゴリーＩＤ」と項目「区画カテゴリー名」から構成され、区画カテゴリーＩＤと区画カテゴリー名が対応づけられて設定されている。ここで、区画カテゴリーとは、画面カテゴリーに分類された複数の設定項目を、領域２２０〜２２３のいずれかに分けて表示するためのカテゴリーのことをいう。例えば、区画カテゴリーＩＤ「Ｂ００１」には、区画カテゴリー名「デバイス」が対応づけられて設定されている。このテーブル２６は、各領域２２０〜２２３に区画カテゴリー名を表示する際に参照される。例えば、第１の領域２２０に区画カテゴリー名「デバイス」を表示する際に参照される。
【００２１】
図６に示す設定項目データのテーブル２７は、項目「設定項目ＩＤ」と、項目「設定項目名」と、項目「デフォルト値」とから構成され、設定項目ＩＤと設定項目名とデフォルト値が対応づけられて設定されている。例えば、設定項目ＩＤ「Ｃ００１」には、設定項目名「Ｎｏ．」とそのデフォルト値「１」が対応づけられて設定されている。このテーブル２７は、各領域２２０〜２２３に設定項目名を表示する際や、後述するアイテムリスト２４０を作成する際に参照される。テーブル２５〜２７は、記憶部２０ｂに保存されている。
【００２２】
次に、図７及び図８に基づいて、カテゴリー別入力画面領域２２の表示例について説明する。図７は、デバイスデータの構成例を示す図である。図８は、デバイスデータの表示例を示す図である。図７に示すデバイスデータ２９は、図８に示す表示画面２１に表示されるデータの構成である。例えば、デバイスデータ２９は、画面カテゴリーＩＤ「Ａ００１」（デバイスデータ）に対して区画カテゴリーＩＤ「Ｂ００１」〜「Ｂ００４」（デバイス、カット、オートセットアップ及びオートダウン）が対応づけられ、区画カテゴリーＩＤ「Ｂ００１」（デバイス）に対して設定項目ＩＤ「Ｃ００１」（Ｎｏ．）や設定項目ＩＤ「Ｃ００２」（ＩＤ）などが対応づけられている。
【００２３】
すなわち、図７に示すデバイスデータ２９は、画面カテゴリーＩＤ「Ａ００１」には区画カテゴリーＩＤ「Ｂ００１」〜「Ｂ００４」が対応づけられ、区画カテゴリーＩＤ「Ｂ００１」には設定項目ＩＤ「Ｃ００１」〜「Ｃ００９」が対応づけられ、区画カテゴリーＩＤ「Ｂ００２」には設定項目ＩＤ「Ｃ０１０」〜「Ｃ０１８」が対応づけられ、区画カテゴリーＩＤ「Ｂ００３」には設定項目ＩＤ「Ｃ０１９」〜「Ｃ０２４」が対応づけられ、区画カテゴリーＩＤ「Ｂ００４」には設定項目ＩＤ「Ｃ０２５」〜「Ｃ０２８」が対応づけられている。各設定項目ＩＤには、設定項目が表示される位置を示す座標データや、入力欄２２５に入力される設定値が対応づけられている。
【００２４】
このデバイスデータ２９を参照して図８に示す表示画面２１を表示する。例えば、表示画面２１の領域２２０〜２２３の各々には、区画カテゴリーＩＤ「Ｂ００１」〜「Ｂ００４」が１対１で対応づけられ、各領域２２０〜２２３において区画カテゴリーＩＤに対応づけられた設定項目が表示される。例えば、第１の領域２２０には、区画カテゴリーＩＤ「Ｂ００１」が示すデバイスの設定項目が表示される。例えば、区画カテゴリーＩＤ「Ｂ００１」に対応づけられた設定項目ＩＤ「Ｃ００１」が示す設定項目「Ｎｏ．」とその設定値「００１」や、設定項目ＩＤ「Ｃ００２」が示す設定項目「ＩＤ」とその設定値「０００」などが第１の領域２２０に表示される。この場合、デバイスデータ２９の座標データ（例えば（Ｘ１，Ｙ１）など）に基づいて所定の位置に設定項目が表示される。
【００２５】
デバイスデータ２９は、デバイスの種類毎に用意されている。例えば、デバイスの種類はデバイスの番号で管理されており、図３に示した表示画面２１において、デバイスの番号（設定項目「Ｎｏ．」）に「００１」を設定すると図８に示した表示画面２１が表示され、表示画面２１に表示された各設定項目の値を変更できるようになる。また、例えばデバイスの番号（設定項目「Ｎｏ．」）に「００２」を設定すると、当該デバイスの番号「００２」に紐づく各設定項目の値が表示されて変更できるようになる。
【００２６】
次に、図９〜図１２に基づいて操作パネル２０の動作例について説明する。図９は、アイテムリストの表示例を示す図である。図１０は、アイテムリストにおける設定項目の選択例を示す図である。図１１は、設定項目の追加例を示す図である。図１２は、操作パネルの動作例を示すフローチャートである。ここで、操作パネル２０は操作者により起動されている。また、記憶部２０ｂに保存されたテーブル２５〜２７やデバイスデータ２９がＲＡＭ２０ｃに展開されている。
【００２７】
これらを前提として図１２に示すステップＳＴ１で、操作パネル２０のＣＰＵ２０ａは、カテゴリー別入力画面領域２２を表示する。例えば、ＣＰＵ２０ａは、操作者の操作によりタッチパネル２０ｄからデバイスデータの表示要求を入力し、図７に示したデバイスデータ２９を含む表示データをタッチパネル２０ｄに出力する。例えば、操作者によりデバイスデータ選択ボタン２４ａがタップされ、デバイスの番号（設定項目「Ｎｏ．」）に「００１」が設定されると、ＣＰＵ２０ａは、デバイスデータ２９を含む表示データをタッチパネル２０ｄに出力する。タッチパネル２０ｄは、ＣＰＵ２０ａから出力された表示データを入力して、図８に示した表示画面２１のカテゴリー別入力画面領域２２を表示してステップＳＴ２に移行する。
【００２８】
ステップＳＴ２で、ＣＰＵ２０ａは、アイテムリストボタン２４ｃがタップされたか否かを判定する。例えば、ＣＰＵ２０ａは、タッチパネル２０ｄのアイテムリストボタン２４ｃが操作者によりタップされて、アイテムリストボタン２４ｃがタップされたことを示す操作データを入力するとステップＳＴ３に移行する。当該操作データを入力するまではカテゴリー別入力画面領域２２を継続して表示する。
【００２９】
ステップＳＴ３で、ＣＰＵ２０ａは、図９に示すアイテムリスト２４０を表示するように制御する。アイテムリスト２４０は設定項目の一覧であり、図６に示した設定項目データのテーブル２７に基づいて作成される。例えば、予め設定項目を表示する順序を設定したテーブルを用意しておき、ＣＰＵ２０ａは、このテーブルを参照してアイテムリスト２４０を順序に従って表示する。アイテムリスト２４０は全ての設定項目が表示されるようにＣＰＵ２０ａにより制御され、表示画面２１におさまらない設定項目はアイテムリスト２４０がスクロールされて表示される。アイテムリスト２４０の各設定項目にはデフォルト値が予め設定されている。次に、ステップＳＴ４に移行する。
【００３０】
ステップＳＴ４で、ＣＰＵ２０ａは、設定項目がドラッグ＆ドロップされたか否かを判定する。例えば、ＣＰＵ２０ａは、操作者によりドラッグ＆ドロップされた設定項目の座標データをタッチパネル２０ｄから入力し、ドロップされた座標データがカテゴリー別入力画面領域２２の領域２２０〜２２３のいずれに含まれるかを判定する。ここで、カテゴリー別入力画面領域２２はテンプレートとして用意されており、ＣＰＵ２０ａは、予めカテゴリー別入力画面領域２２の領域２２０〜２２３の範囲を把握している。すなわち、ＣＵＰ２０ａは、タッチパネル２０ｄに配設されたマトリックス状の電極の座標と、タッチパネル２０ｄに表示されたカテゴリー別入力画面領域２２の領域２２０〜２２３の座標とを対応づけている。領域２２０〜２２３のいずれかにドラッグ＆ドロップされたと判定された場合ステップＳＴ５に移行する。
【００３１】
ステップＳＴ５で、ＣＰＵ２０ａは、ドロップされた領域に設定項目を追加する。例えば、図１０に示すように、操作者により選択された「シャワーノズル」の設定項目がカテゴリー別入力画面領域２２の第２の領域２２１まで移動されると、「シャワーノズル」の設定項目及びそのデフォルト値が第２の領域２２１に追加される。すなわち、アイテムリスト２４０から「シャワーノズル」の設定項目が選択された状態で第２の領域２２１までドラッグされ、第２の領域２２１でドロップされると「シャワーノズル」の設定項目及びそのデフォルト値「1.00/min」が第２の領域２２１に追加される。第２の領域２２１において、「シャワーノズル」の設定項目が追加される位置は、「シャワーノズル」の設定項目がドロップされた位置である。例えば、設定項目がドロップされた位置が、図１０に示すように設定項目欄２２４が表示されていない領域であればこの領域に追加される。また、設定項目がドロップされた位置が、設定項目欄２２４が既に表示されている領域であれば、設定項目欄２２４の間に追加される。例えば、「シャワーノズル」の設定項目が第２の領域２２１における「カット方法」と「Ｚ１  ブレードハイト」の設定項目の間にドロップされた場合、「カット方法」と「Ｚ１  ブレードハイト」の設定項目の間に「シャワーノズル」の設定項目が配置される。ＣＰＵ２０ａは、「シャワーノズル」の設定項目が配置（ドロップ）された位置の座標データを記憶する。
【００３２】
なお、「シャワーノズル」の設定項目が追加されても、元々「シャワーノズル」の設定項目が設定されている画面カテゴリーのデータには、「シャワーノズル」の設定項目が設定されたままである。すなわち、「シャワーノズル」の設定項目は、２つの画面カテゴリーで設定可能となる。ここで、同一の設定項目が２つの画面カテゴリーで設定可能となるので、それぞれの画面カテゴリーで異なる設定値が設定された場合、最新の設定値を採用する。この場合、古い設定値を最新の設定値に書き換えてもよいかをポップアップ画面等で操作者に確認し、操作者の確認がとれると、最新の設定値で古い設定値を書き換えてもよいし、操作者に確認せずに最新の設定値に自動更新するようにしてもよい。
【００３３】
ＣＰＵ２０ａは、設定項目がドロップされた座標データがカテゴリー別入力画面領域２２の第２の領域２２１と判定した場合、図１１に示すデバイスデータ２９０のように、区画カテゴリーＩＤ「Ｂ００２」に設定項目ＩＤ「Ｃ０３０」、設定値「1.00/min」及びドロップ位置を示す座標データ「（Ｘ２，Ｙ１０）」を追加して対応づけ、ＲＡＭ２０ｃ上のデバイスデータ２９をデバイスデータ２９０に更新する。次に、ステップＳＴ６に移行する。
【００３４】
ステップＳＴ６で、ＣＰＵ２０ａは、記憶部２０ｂを更新する。例えば、ＣＰＵ２０ａは、ＲＡＭ２０ｃ上のデバイスデータ２９０をデバイスデータ２９の代わりに記憶部２０ｂに保存する。次回からは、記憶部２０ｂからＲＡＭ２０ｃに展開されたデバイスデータ２９０を読み出して、タッチパネル２０ｄの表示画面２１に表示する。例えば、デバイスデータ選択ボタン２４ａがタップされると、ＣＰＵ２０ａは、デバイスデータ２９０を参照して、表示画面２１の第２の領域２２１の所定位置に「シャワーノズル」の設定項目欄２２４を表示する。
【００３５】
以上のように、本発明に係る操作パネル２０によれば、画面カテゴリー毎に設定項目が１画面内に表示され、全ての設定項目をリスト化したアイテムリスト２４０の中から操作者が選択した設定項目を任意の画面領域に追加して配置するものである。これにより、操作者が使用し易いように画面を構成することができ、操作者の利便性を向上させることができる。
【００３６】
なお、上記実施形態では、加工装置は切削装置である例を説明したが、研削装置や研磨装置などであってもよい。また、操作パネルを使用する例を説明したが、データを入力する入力部と、データを表示する表示部と、表示部を制御する制御部とを備えた装置であれば、操作パネルに限定されない。また、記憶部２０ｂを操作パネル２０に内蔵する例を示したが、記憶部２０ｂを外付けにしてもよい。
【００３７】
また、アイテムリスト２４０から選択した設定項目を画面カテゴリーの表示画面毎に追加する例を説明したが、個別データ毎に追加するようにしてもよい。例えば、画面カテゴリーがデバイスであれば、デバイスデータの種類毎に設定項目を追加するようにしてもよい。例えば、デバイスデータの番号「００１」が指定された表示画面において設定項目が追加された場合、追加された設定項目をデバイスの番号「００１」の表示画面にのみに表示させ、デバイスの番号「００２」などの他のデバイスデータの表示画面には追加された設定項目を表示させないようにしてもよい。
【００３８】
また、アイテムリスト２４０から選択した設定項目を第２の領域２２１に追加する例を説明したが、カテゴリー別入力画面領域２２の他の領域２２０，２２２，２２３のいずれに設定項目をドラッグ＆ドロップして追加してもよい。また、一度追加した設定項目を他の領域に移動させてもよい。また、カテゴリー別入力画面領域２２の領域が設定項目で埋まった状態で更に設定項目を追加した場合、当該領域をスクロール表示させてもよい。
【００３９】
また、ドラッグ＆ドロップ操作によって設定項目を追加していたが、コピー＆ペーストにより設定項目を追加してもよい。例えば、アイテムリスト２４０に表示された設定項目をタップするとコピーされ、その後、領域２２０〜２２３にタップするとタップした設定項目がペーストされる。
【００４０】
また、アイテムリスト２４０に設定項目を表示する順番を一律に表示する例を説明したが、画面カテゴリー毎に変更するようにしてもよい。例えば、画面カテゴリー毎に関連度の高い設定項目を特定し、特定した設定項目の中で関連度の高い設定項目から順番に表示する。これにより、選択する可能性の高い設定項目がアイテムリスト２４０の上位に表示されるので、操作者は、追加する設定項目を見つけやすくなる。画面カテゴリーに対して関連度の高い設定項目を求める方法は、予め人為的に決定してもよいし、操作者が追加した設定項目のデータを画面カテゴリー毎に蓄積しておき、蓄積したデータを複数の加工装置から収集して統計処理により求めてもよい。また、アイテムリスト２４０に設定項目のデフォルト値を表示したが、必ずしもデフォルト値は表示しなくてもよい。
【００４１】
また、設定項目を削除できるようにしてもよい。例えば、設定項目がロングタップ（タッチ長押し）されると、削除の確認を示すポップアップ画面を表示し、操作者から削除の確認がとれると当該設定項目をカテゴリー別入力画面領域２２の領域から削除する。
【００４２】
また、複数の操作者が操作パネル２０を操作する場合、操作者毎にログインＩＤとパスワードを設け、設定項目が追加されてカスタマイズされたカテゴリー別入力画面領域２２とログインＩＤとを紐づけるようにしてもよい。これにより、操作者は、自分専用のカテゴリー別入力画面領域２２を構成できるようになる。
【符号の説明】
【００４３】
１  加工装置
２０  操作パネル
２１  表示画面
２２  カテゴリー別入力画面
２２０  第１の領域
２２１  第２の領域
２２２  第３の領域
２２３  第４の領域
２２４  設定項目
２２５  入力欄
２３  選択／中止の選択画面
２４ａ  デバイスデータ選択ボタン
２４ｃ  アイテムリストボタン
２４０  アイテムリスト
２５  画面カテゴリーデータのテーブル
２６  区画カテゴリーデータのテーブル
２７  設定項目データのテーブル
２９，２９０  デバイスデータ
【図１】
2016002614.tif 000003
【図２】
2016002614.tif 000004
【図３】
2016002614.tif 000005
【図４】
2016002614.tif 000006
【図５】
2016002614.tif 000007
【図６】
2016002614.tif 000008
【図７】
2016002614.tif 000009
【図８】
2016002614.tif 000010
【図９】
2016002614.tif 000011
【図１０】
2016002614.tif 000012
【図１１】
2016002614.tif 000013
【図１２】
2016002614.tif 000014